(57)【要約】      （修正有）【課題】入力電流を供給／遮断するスイッチ手段と突入電流防止抵抗に流れる入力電流を供給／遮断するスイッチ手段とを室内機へ備えるスプリット型の空気調和機において、２つのスイッチ手段の故障を室内機側で迅速に検出する空気調和機を提供する。【解決手段】室内機２はスイッチ手段２１と、突入電流防止抵抗２３とスイッチ手段２２と、交流電源１の電圧の周期を検出する電源周期検出手段２４と、室内機制御手段２５とを備えている。室内機制御手段２５は、空調運転状態に対応した指示を出力する制御手段と、この運転状態に対応して各スイッチ手段の開閉を制御するスイッチ切換手段と、運転状態に対応して予め定めた電源周期信号の状態パターンを記憶している状態パターン記憶手段と、入力された電源周期信号と状態パターンと遅延運転状態信号とに基づいて、２つのスイッチ手段の故障を判定して判定結果信号を制御手段へ出力する故障判定手段とを備えている。【選択図】図１
2015105793.tif 000002
【特許請求の範囲】
【請求項１】
室外機と、室内機とを備え、前記室内機に供給される交流電源を前記室内機の電源線を経由して前記室外機に供給する空気調和機であって、
前記室内機は、前記室外機へ接続される前記電源線に直列に接続された第１スイッチ手段と、同第１スイッチ手段と並列に接続され、前記室外機へ流れる突入電流を防止する突入電流防止抵抗を接続／遮断する第２スイッチ手段と、
前記第１スイッチ手段および前記第２スイッチ手段を経由した後の前記電源線に接続され、前記交流電源の周期を検出して電源周期信号として出力する電源周期検出手段と、
前記第１スイッチ手段と前記第２スイッチ手段との開閉を前記空気調和機の運転状態に応じて切り換える制御手段と、
前記空気調和機の運転状態に応じて前記第１スイッチ手段または前記第２スイッチ手段の開閉を切り換えた時、それぞれの運転状態において前記第１スイッチ手段および／または前記第２スイッチ手段が正常または異常である場合に生じる前記電源周期信号のパターンを状態パターンとして予め記憶する状態パターン記憶手段と、
前記電源周期検出手段が出力する電源周期信号のパターンと前記状態パターン記憶手段が出力する電源周期信号のパターンとを前記空気調和機の運転状態に基づいて比較し、前記第１スイッチ手段および／または前記第２スイッチ手段が正常または異常であるかを判定する故障判定手段とを備えたことを特徴とする空気調和機。
【発明の詳細な説明】
【技術分野】
【０００１】
本発明は、室内機と室外機とを備えた空気調和機に係わり、より詳細には、電源の平滑コンデンサへ流れる電流を抑制する突入電流防止抵抗を接続／遮断するスイッチを室内機側に備えた構成におけるスイッチの故障判定に関する。
【背景技術】
【０００２】
従来、空気調和機は図４に示すように室内機８０と室外機９０とを備えている。
室内機８０は入力端１０４ａ、入力端１０４ｂ、出力端１０５ａ、出力端１０５ｂ、出力端１０５ｃを備えている。
交流電源１は入力端１０４ａと入力端１０４ｂとに接続され、入力端１０４ｂは出力端１０５ｂに接続され、入力端１０４ａはスイッチ手段８１を介して出力端１０５ａに接続されている。
一方、室外機９０は入力端１０６ａと入力端１０６ｂと入力端１０６ｃとを備えている。そして、室内機８０の出力端１０５ａは室外機９０の入力端１０６ａに、出力端１０５ｂは入力端１０６ｂに、出力端１０５ｃは入力端１０６ｃにそれぞれ接続されている。なお、入力端１０４ａから配線されるラインを電源線１０２、入力端１０４ｂから配線されるラインを電源線１０３と呼称する。
【０００３】
室内機８０内の入力端１０４ａと入力端１０４ｂとの間には、待機電力切断リレー８３と電源周期検出手段８２とが直列に接続されており、空気調和機が待機状態になった時に待機電力切断リレー８３を開とすることにより、電源周期検出手段８２で消費される電力を遮断することができる。また、室内機８０内には室内機制御手段８４が備えられており、室内機制御手段８４は室内機８０全体を制御すると共に、待機電力切断リレー８３の開閉制御とスイッチ手段８１の開閉制御とを行なう構成になっている。
【０００４】
なお、室内機制御手段８４には出力端１０５ｃを介して通信線１０１が接続されており、電源周期検出手段８２から出力される電源周期信号（交流電源電圧の半周期を示す信号）に同期して１ビットずつのデータによって室内機９０と通信を行なうようになっている。
【０００５】
一方、室外機９０は、入力端１０６ａと入力端１０６ｂとが整流器９５の入力端にそれぞれ接続され整流器９５の正極と負極とはインバータ９８の入力端にそれぞれ接続され、インバータ９８の出力端は三相のモータ９９に接続されている。また、整流器９５の正極と負極との間には、平滑コンデンサ９６と電圧検出手段９７とが、それぞれ接続されている。
【０００６】
また、室外機９０は、入力端１０６ａと整流器９５の入力端との間にスイッチ手段９１が設けられ、直列に接続された突入電流防止抵抗９３とスイッチ手段９２とがスイッチ手段９１と並列に接続されている。さらに、入力端１０６ａと入力端１０６ｂとの間に電源周期検出手段９４が接続されている。
【０００７】
さらに室外機９０は室外機制御手段１００が備えられ、室外機制御手段１００は、電圧検出手段９７で検出した電圧を示す電圧検出信号と、電源周期検出手段９４で検出した電源周期を示す電源周期信号とが入力されている。また、室外機制御手段１００は、スイッチ手段９１とスイッチ手段９２とを開閉制御する構成になっている。さらに室外機制御手段１００は、電源周期信号に同期して通信線１０１を介して室内機８０と通信を行なう構成になっている。
【０００８】
次に上記構成を用いてリレーからなるスイッチ手段９１とスイッチ手段９２との故障を判定する方法を説明する。
室内機制御手段８４によってスイッチ手段８１が閉にされると、室外機９０に交流電源１が接続され、室外機９０の図示しない直流電源装置がロジック用の電源を出力する。この電源により室外機制御手段１００が動作を開始する。
【０００９】
スイッチ手段９２とスイッチ手段９１とはノーマルオープンのリレーであるため、室外機制御手段１００が動作を開始した時、これらのスイッチ手段は共に開となっている。
そして、室外機制御手段１００は、まず最初に電圧検出手段９７を介して平滑コンデンサ９６の両端電圧を検出し、もしこの電圧が第１の閾値以上なら、スイッチ手段９２かスイッチ手段９１か、いずれかの接点が接続されたまま（接点の溶着）と判断する。
【００１０】
室外機制御手段１００は、この電圧が第１の閾値未満の場合、次にスイッチ手段９２を閉にする。そして一定時間経過の後、室外機制御手段１００は、電圧検出手段９７を介して平滑コンデンサ９６の両端電圧を検出する。もしこの電圧が第１の閾値未満なら突入電流防止抵抗９３を介した平滑コンデンサ９６への充電が行なわれていないため、室外機制御手段１００は、スイッチ手段９２が動作しない未動作の故障と判断する。もしこの電圧が第１の閾値以上の場合、次に室外機制御手段１００は、スイッチ手段９１を閉とし、平滑コンデンサ９６の両端電圧を検出する。もしこの電圧が第２の閾値（動作可能電圧）未満なら、スイッチ手段９１の接点が接続されていないため、室外機制御手段１００はスイッチ手段９１が不動作の故障と判断する。
【００１１】
このように、スイッチ手段９１とスイッチ手段９２と電圧検出手段９７とがすべて室外機９０に備えられているため、室外機制御手段１００は、スイッチ手段９１とスイッチ手段９２との故障を判定することができる（例えば、特許文献１参照。）。
【００１２】
ところで、このような室内機８０と室外機９０に分割されたスプリット型の空気調和機では、室内機８０のスイッチ手段８１と室外機９０のスイッチ手段９１との２つのリレーを備えるため、室外機９０のスイッチ手段９１を削除し、この機能を室内機８０のスイッチ手段８１で代替し、これに対応してスイッチ手段９２、及び突入電流防止抵抗９３を室内機８０へ備える構成が考えられる。これによってスイッチ手段９１のコストを低減し、また、このスイッチ手段９１を閉とするための駆動電力を低減させることができる。
【００１３】
図５はこのように、室内機側にスイッチ手段、及び突入電流防止抵抗を配置した構成の空気調和機を示すブロック図である。図４との構成の違いを説明する。
図５の室内機にはスイッチ手段８６と突入電流防止抵抗８６とが直列に接続され、これらがスイッチ手段８１に並列に接続されている。そして、スイッチ手段８１とスイッチ手段８６とは室内機制御手段８４によって制御される。一方、図４で説明したスイッチ手段９２、及び突入電流防止抵抗９３は図５の空気調和機において削除されている。そして、入力端１０６ａは整流器９５の一方の入力端に、また、入力端１０６ｂは整流器９５の他方の入力端にそれぞれ接続されている。その他は図４の空気調和機と同じため同じ符号を付与すると共に説明を省略する。
【００１４】
図５において、室内機制御手段８４は空気調和機の運転状態に対応して、各スイッチ手段の開閉を制御すると共に、各スイッチ手段の開閉の状態を通信線１０１を介して室外機制御手段１００に送信する。室外機制御手段１００は、この各スイッチ手段の開閉の状態と電圧検出手段９７で検出した電圧検出信号とに基づいて、図４の空気調和機で説明した故障判定を実行する。また、室外機制御手段１００は故障判定の結果を通信線１０１を介して室内機制御手段８４へ返信する。
室内機８０と室外機９０とは前述したように速度の遅い電源周期に同期した通信しかできないため、室内機８０から各スイッチ手段の状態を送信してから、これに対する室外機９０の平滑コンデンサ９６の電圧データを室内機８０が受信するまでには数秒の時間が必要となる。
【００１５】
しかしながら、スイッチ手段の故障はパワー系統の回路に深刻なダメージを与える場合があり、関連部品が加熱・焼損する前に迅速な故障検出と対応が必要であり、通信速度が遅いと故障の検出途中で関連部品が焼損する場合があり、実用的な故障検出ができないという問題があった。
また、室外機９０に交流電源が印可されない場合は室外機制御手段１００も動作しないため、スイッチ手段が開のままとなる場合（未動作）の故障検出ができなかった。
【先行技術文献】
【特許文献】
【００１６】
【特許文献１】特開２００７−６０８５５号公報（第５−６頁、図１）
【発明の概要】
【発明が解決しようとする課題】
【００１７】
本発明は以上述べた問題点を解決し、入力電流を供給／遮断するスイッチ手段と突入電流防止抵抗に流れる入力電流を供給／遮断するスイッチ手段とを室内機へ備えるスプリット型の空気調和機において、２つのスイッチ手段の故障検出を室内機側で迅速に行なうことを目的とする。
【課題を解決するための手段】
【００１８】
本発明は上述の課題を解決するため、本発明の請求項１に記載の発明は、室外機と、室内機とを備え、前記室内機に供給される交流電源を前記室内機の電源線を経由して前記室外機に供給する空気調和機であって、
前記室内機は、前記室外機へ接続される前記電源線に直列に接続された第１スイッチ手段と、同第１スイッチ手段と並列に接続され、前記室外機へ流れる突入電流を防止する突入電流防止抵抗を接続／遮断する第２スイッチ手段と、
前記第１スイッチ手段および前記第２スイッチ手段を経由した後の前記電源線に接続され、前記交流電源の周期を検出して電源周期信号として出力する電源周期検出手段と、
前記第１スイッチ手段と前記第２スイッチ手段との開閉を前記空気調和機の運転状態に応じて切り換える制御手段と、
前記空気調和機の運転状態に応じて前記第１スイッチ手段または前記第２スイッチ手段の開閉を切り換えた時、それぞれの運転状態において前記第１スイッチ手段および／または前記第２スイッチ手段が正常または異常である場合に生じる前記電源周期信号のパターンを状態パターンとして予め記憶する状態パターン記憶手段と、
前記電源周期検出手段が出力する電源周期信号のパターンと前記状態パターン記憶手段が出力する電源周期信号のパターンとを前記空気調和機の運転状態に基づいて比較し、前記第１スイッチ手段および／または前記第２スイッチ手段が正常または異常であるかを判定する故障判定手段とを備えたことを特徴とする。
【発明の効果】
【００１９】
以上の手段を用いることにより、本発明による空気調和機によれば、請求項１に係わる発明は、入力電流を供給／遮断するスイッチ手段と突入電流防止抵抗に流れる入力電流を供給／遮断するスイッチ手段とを室内機へ備えるスプリット型の空気調和機において、室内機側で２つのスイッチ手段の故障を迅速に検出することができる。
【図面の簡単な説明】
【００２０】
【図１】本発明による空気調和機の実施例を示すブロック図である。
【図２】室内機制御手段の内部を示すブロック図である。
【図３】本発明の原理を説明する説明図である。
【図４】従来の空気調和機を示すブロック図である。
【図５】従来の他の空気調和機を示すブロック図である。
【発明を実施するための形態】
【００２１】
以下、本発明の実施の形態を、添付図面に基づいた実施例として詳細に説明する。
【実施例１】
【００２２】
図１に示す空気調和機は室内機２と室外機３とを備えている。室内機２は入力端７ａ、入力端７ｂ、出力端８ａ、出力端８ｂ、出力端８ｃとを備えている。そして、交流電源１は入力端７ａと入力端７ｂとに接続され、入力端７ｂは出力端８ｂに接続され、入力端７ａはスイッチ手段２１（第１スイッチ手段）を介して出力端８ａに接続されている。スイッチ手段２１の両端には、直列に接続された突入電流防止抵抗２３とスイッチ手段２２（第２スイッチ手段）とが接続されている。また、出力端８ａと入力端７ｂとの間には電源周期検出手段２４が接続されている。
【００２３】
さらに、室内機２内には室内機制御手段２５が備えられており、室内機制御手段２５は室内機２全体を制御すると共に、スイッチ手段２１の開閉を指示するメインスイッチ信号とスイッチ手段２２の開閉を指示するサブスイッチ信号とを出力する構成になっている。
なお、室内機制御手段２５には通信線４が接続されており、電源周期検出手段２４から出力される電源周期信号（交流電源電圧の半周期を示す信号）に同期して１ビットずつのデータによって室外機３と通信を行なうようになっている。
【００２４】
一方、室外機３は入力端９ａと入力端９ｂと入力端９ｃとを備えている。そして、室内機２の出力端８ａは室外機３の入力端９ａに、出力端８ｂは入力端９ｂに、出力端８ｃは入力端９ｃにそれぞれ接続されている。なお、入力端７ａから配線されるラインを電源線５、入力端７ｂから配線されるラインを電源線６と呼称する。
【００２５】
また、室外機３は、入力端９ａと入力端９ｂとが整流器３２の入力端にそれぞれ接続され、整流器３２の正極と負極とはインバータ３４の入力端にそれぞれ接続され、インバータ３４の出力端は三相のモータ３５に接続されている。また、整流器３２の正極と負極との間には、平滑コンデンサ３３が接続されている。なお、モータ３５は図示しない圧縮機用のモータである。
【００２６】
また、室外機３は、入力端９ａと入力端９ｂとの間に電源周期検出手段３１が接続されている。さらに室外機３は室外機制御手段３７が備えられ、室外機制御手段３７は電源周期検出手段３１で検出した電源周期を示す電源周期信号が入力されている。そして、室外機制御手段３７は、室外機３全体を制御すると共に、電源周期信号に同期して通信線４を介して室内機２と通信を行なう構成になっている。
【００２７】
図２は室内機制御手段２５の内部を示すブロック図である。室内機制御手段２５は、室内機２を制御すると共に室外機３と通信を行なう制御手段２７と、制御手段２７が出力する運転状態信号により、空気調和機の運転に関する運転状態、例えば停止、起動、運転などの運転状態に対応してスイッチ手段２１の開閉を指示するメインスイッチ信号とスイッチ手段２２の開閉を指示するサブスイッチ信号とをそれぞれ出力するスイッチ切換手段２６と、入力された運転状態信号を２０ミリセカンドだけ遅延させた遅延運転状態信号を出力する遅延手段２９と、空気調和機の運転状態に対応して予め定めた電源周期信号の状態パターンを記憶している状態パターン記憶手段３０と、入力された電源周期信号と状態パターンと遅延運転状態信号とに基づいて、スイッチ手段２１とスイッチ手段２２との故障を判定して判定結果信号を制御手段２７へ出力する故障判定手段２８とを備えている。
【００２８】
状態パターン記憶手段３０は、制御手段２７が空気調和機の運転状態に応じてスイッチ手段２１と２スイッチ手段２２の開閉を切り換えた時、それぞれの運転状態においてスイッチ手段２１とスイッチ手段２２とが正常または異常である場合に生じる電源周期信号の有無を運転状態のパターン毎に状態パターンとして予め記憶している。
【００２９】
具体的には次の内容が状態パターン記憶手段３０に記憶されている。運転停止状態をＡ、起動状態をＢ、運転状態をＤとすると、運転停止の状態パターンとして『Ａ−電源周期信号（無）：正常，Ａ−電源周期信号（有）：異常』、起動の状態パターンとして『Ｂ−電源周期信号（有）：正常，Ｂ−電源周期信号（無）：異常』、さらに、運転の状態パターンとして『Ｄ−電源周期信号（有）：正常，Ｄ−電源周期信号（無）：異常』の内容の状態パターンとして予め記憶されている。
なお、実際にはスイッチ手段２１とスイッチ手段２２の開閉を時間的にオーバーラップさせる状態パターンとして、『Ｃ−未判定』の内容の状態パターンが追加されて記憶されている。なお、各状態パターンの正常／異常に対応する有／無を『判定条件』と呼称する。また、状態パターンの中の『未判定』は正常／異常を表すものではないが、判定を実施しないという意味があるため、『判定条件』と呼称する。一方、それぞれの運転状態を運転状態Ａ〜運転状態Ｄと呼称する。
【００３０】
例えば、制御手段２７が運転状態信号として運転状態Ａ（運転停止状態）を出力した時、スイッチ切換手段２６はスイッチ手段２１とスイッチ手段２２とを共に開にする。従って電源周期検出手段２４には交流電源１が供給されないので電源周期信号は出力されない。故障判定手段２８には、遅延手段２９から出力される遅延運転状態信号によって運転状態Ａのデータが入力される。故障判定手段２８は、状態パターン記憶手段３０を参照し、入力された運転状態Ａのデータと対応する運転停止の状態パターンから『無／有』の判定条件データを抽出する。なお、判定条件データの最初の文字が正常時の電源周期信号の状態（無）を示し、後の文字が異常時の電源周期信号の状態（有）を示している。そして、故障判定手段２８は、電源周期信号の有無の状態とこの判定条件データとを比較し、正常か異常（故障）かを判定する。
【００３１】
図３は本発明の原理を説明する説明図である。図３の横軸は時間であり、縦軸に関して、図３（１）は空気調和機の運転状態を、図３（２）は制御手段２７から出力される運転状態信号を、図３（３）は遅延運転状態信号を、図３（４）はメインスイッチ信号を、図３（５）はスイッチ手段２１の開閉状態を、図３（６）はサブスイッチ信号を、図３（７）はスイッチ手段２２の開閉状態を、図３（８）は電源周期信号を、図３（９）は判定結果信号を、図３（１０）は運転状態信号に対応して状態パターン記憶手段３０から抽出された判定条件データ（電源周期信号の有無）を、それぞれ示している。なお、図３（８）の電源周期信号において実線は各スイッチ手段が正常な場合を、点線は異常（故障）の場合をそれぞれ示している。また、ｔ１〜ｔ１２は時刻を示す。
【００３２】
図３（１）に示すように空気調和機は、停止、起動、運転、そして、また停止と、３つの状態に遷移する。室内機２は停止状態において室外機３への電源供給を完全に遮断し、待機状態となって図示しないリモコンからの指示を待っている。リモコンから運転開始の指示があると、室内機２はスイッチ手段２２を閉にして室外機３の平滑コンデンサ３３へ突入電流防止抵抗２３を介して電流を流し、平滑コンデンサ３３の電圧を徐々に上昇させる起動状態に空気調和機を移行させる。一定時間経過の後、室内機２がスイッチ手段２１を閉にし、スイッチ手段２２を開にした後、室外機３は圧縮機用のモータ３５を回転させて空調運転を開始し、空気調和機は運転状態へ移行する。そしてリモコンから運転停止の指示があると、室外機３は圧縮機用のモータ３５を停止させて空調運転を中止し、室内機２はスイッチ手段２１を開にして空気調和機は再び停止状態となる。
【００３３】
この運転状態の遷移は室内機２の制御手段２７が制御している。制御手段２７は、スイッチ手段２１、２２の切り換えと故障判定とを行なうため、この状態遷移に対応して運転状態Ａ〜運転状態Ｄまでの状態を示すデータを運転状態信号としてスイッチ切換手段２６に出力すると共に、この運転状態信号を遅延手段２９を介して故障判定手段２８へ出力する。
【００３４】
スイッチ切換手段２６は運転状態信号で指示される運転状態Ａ〜運転状態Ｄのデータに対応してスイッチ手段２１とスイッチ手段２２とを切り換える内容を予め記憶しており、運転状態のデータが運転状態信号によって入力されると、この運転状態のデータに従ってメインスイッチ信号とサブスイッチ信号とを出力する。
【００３５】
具体的にスイッチ切換手段２６は、運転状態信号を受け取ると指示された運転状態に対応してスイッチ手段２１の開閉を指示するメインスイッチ信号と、スイッチ手段２２の開閉を指示するサブスイッチ信号とを出力する。なおこれらの信号はハイレベルの時に該当スイッチ手段が閉となり、ローレベルの時に該当スイッチ手段が開となる。
【００３６】
スイッチ切換手段２６は、受け取った運転状態信号が運転状態Ａの時にメインスイッチ信号とサブスイッチ信号とをローレベルに、運転状態Ｂの時にメインスイッチ信号をローレベルに、また、サブスイッチ信号をハイレベルに、運転状態Ｃの時にメインスイッチ信号とサブスイッチ信号とをハイレベルに、運転状態Ｄの時はメインスイッチ信号をハイレベルに、また、サブスイッチ信号をローレベルに、それぞれ信号を切り換える。
【００３７】
一方、故障判定手段２８は、遅延手段２９で遅延された運転状態信号である遅延運転状態信号によって運転状態Ａ〜運転状態Ｄのデータを受け取ると、前述したように状態パターン記憶手段３０から、運転状態Ａ〜運転状態Ｄのデータと対応する電源周期信号の正常／異常を示す判定条件データを抽出し、図３（１０）に示すように、この抽出した電源周期信号の有無と、図３（８）に示す電源周期検出手段２４で検出した電源周期信号の有無とを比較して各スイッチ手段の故障を判定し、この判定結果である正常又は異常のデータを判定結果信号として制御手段２７へ出力する。なお、図３（８）に示す電源周期信号はローレベルが電源周期信号が『無し』、ハイレベルが電源周期信号が『有り』をそれぞれ示している。
【００３８】
次に運転状態Ａ〜運転状態Ｄに従って各手段の動きを説明する。図３（２）に示すように制御手段２７は、空気調和機が停止状態の時、運転状態Ａの運転状態信号を出力してスイッチ手段２１、２２を全て開とさせる。故障判定手段２８は、図３（１０）に示す運転状態Ａの判定条件データを状態パターン記憶手段３０から抽出し、図３（８）のｔ３における電源周期信号と比較する。図３（８）のｔ３では電源周期信号が無いので、故障判定手段２８は、図３（１０）のｔ３における判定条件データの（無）と同じ、つまり予め定めた電源周期信号が無い状態と同じであるため、スイッチ手段２１、２２は共に正常であると判定する。もし、図３（８）のｔ３で電源周期信号が有る場合、故障判定手段２８は、図３（１０）のｔ３における判定条件データの（有）と同じ、つまり、予め定めた電源周期信号が異常な状態である（有）の状態と同じであるため、スイッチ手段２１、２２のいずれかが異常であると判定する。
【００３９】
次に制御手段２７は、空気調和機が起動状態となった時、運転状態Ｂの運転状態信号を出力してスイッチ手段２２を閉とさせる。故障判定手段２８は、図３（１０）に示す運転状態Ｂの判定条件データを状態パターン記憶手段３０から抽出し、図３（８）のｔ５における電源周期信号と比較する。図３（８）のｔ５では電源周期信号が有るので、故障判定手段２８は、図３（１０）のｔ５における判定条件データ（有）と同じであるため、スイッチ手段２２は正常であると判定する。もし、図３（８）のｔ５で電源周期信号が無い場合、故障判定手段２８は、図３（１０）のｔ５における判定条件データ（無）と同じであるため、スイッチ手段２２が異常であると判定する。
【００４０】
次に制御手段２７は、空気調和機が運転状態となった時、運転状態Ｃの運転状態信号を出力してスイッチ手段２１を閉とさせる。故障判定手段２８は、図３（１０）に示す運転状態Ｃの判定条件データを状態パターン記憶手段３０から抽出する。この場合、判定条件データは（未判定）であるため、故障判定手段２８は判定処理を実行せず、判定結果信号も出力しない。
【００４１】
続いて制御手段２７は、運転状態Ｄの運転状態信号を出力してスイッチ手段２２を開とさせる。故障判定手段２８は、図３（１０）に示す運転状態Ｄの判定条件データを状態パターン記憶手段３０から抽出し、図３（８）のｔ１０における電源周期信号と比較する。図３（８）のｔ１０では電源周期信号が有るので、故障判定手段２８は、図３（１０）のｔ１０における判定条件データ（有）と同じであるため、スイッチ手段２２は正常であると判定する。もし、図３（８）のｔ１０で電源周期信号が無い場合、故障判定手段２８は、図３（１０）のｔ１０における判定条件データ（無）と同じであるため、スイッチ手段２１が異常であると判定する。
【００４２】
次に制御手段２７は、空気調和機が停止状態となった時、運転状態Ａの運転状態信号を出力してスイッチ手段２１を開とさせる。以降は前述の運転状態と同じであるため説明を省略する。
【００４３】
このように変化する運転状態信号が遅延手段２９とスイッチ切換手段２６とに入力される。遅延手段２９はこの運転状態信号を２０ミリセカンドだけ遅延させて遅延運転状態信号として出力している。これはリレーであるスイッチ手段２１、２２が切り換え指示を受けてから実際に接点が切り換わるまでの機械的な遅延時間を待ち、確実な故障判定を行なうためである。
また、故障判定手段２８は少なくとも電源周期信号の１周期の時間よりも長い期間、入力される電源周期信号を複数回サンプリングして電源周期信号の有無を判定するため正確な判定ができる。
【００４４】
以上のように故障判定手段２８は、各運転状態と対応して各スイッチ手段の正常／異常を判定し、制御手段２７に判定結果を出力する。制御手段２７は正常の判定結果が来れば次の運転状態へ移行できるが、もし異常の判定結果が来た場合は直ちに運転状態Ａの運転状態信号を出力して室外機３の電源切断を指示し、ユーザーに故障を報知する。
【００４５】
以上説明したように、入力電流を供給／遮断するスイッチ手段２１と突入電流防止抵抗２３に流れる入力電流を供給／遮断するスイッチ手段２２とを室内機２に備えるスプリット型の空気調和機において、空気調和機の運転状態が変化して各スイッチ手段が切り換えられるタイミングで故障判定するため、室内機２側で２つのスイッチ手段の故障を迅速に検出することができる。
【００４６】
また、従来の室内機では待機電力削減のために待機電力切断リレーが必要であったが、本願では電源周期検出手段の動作を停止させるためにスイッチ手段２１とスイッチ手段２２とを共に開とすればよい。つまり、室外機３への電源供給を遮断することで同時に電源周期検出手段２４の動作を停止できるため、電源周期検出手段２４の消費電力を遮断する待機電力切断リレーが不要となってコストダウンすることができる。
【００４７】
また、本実施例では突入電流防止抵抗を用いた例を説明しているが、これに限るものでなく、これに代えてポジスタを用いてもよい。また、本実施例では遅延手段を用いているが、これに限るものでなく、切り換え時に機械的な遅延が発生しないソリッドステートリレーをスイッチ手段として用いる場合は、遅延手段を介さない構成にしてもよい。
また、本実施例では状態パターンの中の判定条件データを正常と異常とで２種類設けているが、これに限るものでなく、正常の場合か、異常の場合かいずれか一方の場合の電源周期信号の有無を規定してもよい。
【符号の説明】
【００４８】
１  交流電源
２  室内機
３  室外機
４  通信線
５  電源線
６  電源線
７ａ、７ｂ  入力端
８ａ、８ｂ、８ｃ  出力端
９ａ、９ｂ、９ｃ  入力端
２１  スイッチ手段（第１スイッチ手段）
２２  スイッチ手段（第２スイッチ手段）
２３  突入電流防止抵抗
２４  電源周期検出手段
２５  室内機制御手段
２６  スイッチ切換手段
２７  制御手段
２８  故障判定手段
２９  遅延手段
３０  状態パターン記憶手段
３１  電源周期検出手段
３２  整流器
３３  平滑コンデンサ
３４  インバータ
３５  モータ
３７  室外機制御手段
【図１】
2015105793.tif 000003
【図２】
2015105793.tif 000004
【図３】
2015105793.tif 000005
【図４】
2015105793.tif 000006
【図５】
2015105793.tif 000007